(57)【要約】【課題】本発明は、通信機器同士を互いに通信相手として認識・記憶させる処理を、ユーザにとって簡便化し、市場における通信機器同士の連携機能およびその利用度を大きく発展させることができる通信機器を提供する。【解決手段】無線通信可能な通信機器の識別情報を記憶する記憶手段と、通信可能領域にある通信機器から識別情報を受信する受信手段と、無線通信を開始する際に、受信された識別情報、及び記憶された識別情報に基づいて通信機器のリストを提示する提示手段（Ｓ２１５）と、提示されたリストから通信機器の選択を受け付ける受付手段（Ｓ２１７）と、通信機器の選択が受け付けられた場合、選択された通信機器との無線通信を開始する通信手段（Ｓ２１９）と、を備えた。【選択図】  図７
2010136238.tif 000002
【特許請求の範囲】
【請求項１】
無線通信可能な通信機器の識別情報を記憶する記憶手段と、
通信可能領域にある通信機器から識別情報を受信する受信手段と、
無線通信を開始する際に、前記受信手段により受信された識別情報、及び前記記憶手段により記憶された識別情報に基づいて、そのとき通信可能な通信機器のリストを提示する提示手段と、
前記提示手段により提示されたリストから通信機器の選択を受け付ける受付手段と、
前記受付手段により通信機器の選択が受け付けられた場合、選択された通信機器との無線通信を開始する通信手段と、
を備えたことを特徴とする通信機器。
【請求項２】
所定の通信機器の識別情報を含んだバーコードを撮像して、そのバーコード情報から通信機器の識別情報を取得する読取手段を備え、
前記記憶手段は、前記読取手段により取得された情報に基づいて、通信機器の識別情報を記憶することを特徴とする請求項１記載の通信機器。
【請求項３】
前記記憶手段は、通信機器の識別情報を通信手段毎に記憶していて、
前記提示手段は、使用される通信手段も加味して通信機器を抽出して、抽出された通信機器のリストを提示することを特徴とする請求項１記載の通信機器。
【請求項４】
前記記憶手段が、所定の通信手段を使用する通信機器として１の通信機器を記憶していた場合、前記提示手段は通信機器のリストを提示せずに、前記通信手段は、前記受付手段により通信機器の選択が受け付けられずとも、この通信機器との無線通信を開始することを特徴とする請求項３記載の通信機器。
【請求項５】
前記提示手段によりそのとき通信可能な通信機器が１つに絞られた場合、前記提示手段は、通信機器のリストを提示せずに、前記通信手段は、前記受付手段により通信機器の選択が受け付けられずとも、この通信機器との無線通信を開始することを特徴とする請求項３記載の通信機器。
【請求項６】
前記記憶手段は、通信機器の識別情報の一つとして、この通信機器が使用可能なプロトコルを記憶していて、
前記提示手段は、使用されるプロトコルに基づいて通信機器を抽出して、抽出された通信機器のリストを提示することを特徴とする請求項１記載の通信機器。
【発明の詳細な説明】
【技術分野】
【０００１】
本発明は、通信可能な通信機器に関する情報を予め登録しておくことにより、近距離無線通信を行う際に、この登録情報に基づいてユーザの所望の通信機器を特定して簡単に無線通信を開始することができる通信機器に関する。
【背景技術】
【０００２】
近年、携帯電話機等の通信機器の多機能化に伴い、ＣＣＤカメラを備えた通信機器が増えてきている。これらの通信機器において、Ｗｅｂサイトにアクセスする際に、ユーザがＵＲＬを入力する代わりに、ＱＲコード（登録商標）等のバーコード情報をＣＣＤカメラを用いて読み取ることにより、このＷｅｂサイトに簡単にアクセスできる機能を備えているものが多い。
【０００３】
例えば特許文献１によると、顧客にとってよりシンプルに利用できる個別ＱＲコードを用いたＱＲコードリーダ付き携帯端末による簡易認証予約システム及び方法が提案されている。この携帯端末は、診察券、メンバカード等に記載された個別ＱＲコードを患者、顧客の持つ携帯端末のカメラで読み込み、ＱＲコード内に記載されたＵＲＬ、ユーザＩＤをもとに、顧客毎の個別予約・確認サイトを表示するものである。
【特許文献１】特開２００６−１５５５３６号公報
【発明の開示】
【発明が解決しようとする課題】
【０００４】
通信機器におけるＢｌｕｅｔｏｏｔｈ（登録商標）や赤外線通信等の近距離無線通信技術の普及に伴い、一定距離内にある複数の通信機器に対して相互に認識して通信する機能を備えた通信機器が増えてきている。今後、デジタル機器間連携として、デジタルテレビやＰＣ（Ｐｅｒｓｏｎａｌ  Ｃｏｍｐｕｔｅｒ）等の通信機器と携帯電話機との接続及びデータ送受信の操作性向上が重要視されてくる。例えば、テレビ番組の録画設定データや録画データをデジタルテレビと携帯電話機との間で送受信し合ったり、メールやカレンダー、メディアコンテンツをＰＣと携帯電話機との間で同期したりするシーンが、ユーザにとって簡便に実現できることが望まれている。
【０００５】
複数の通信機器が相互に接続してデータ送受信を行うようなシーンにおける、ユーザ操作上の高いハードルの一つが、通信を行う通信機器同士（例えばデジタルテレビあるいはＰＣと、携帯電話機）を、相互に通信相手として認識・記憶させる処理であり、「Ｂｌｕｅｔｏｏｔｈ」無線通信においてはペアリング設定として定義される通信プロセスである。従来、通信機器に設けられたペアリング設定操作は、互いの通信機器がＢｌｕｅｔｏｏｔｈ無線機をＯＮした条件で、一方の通信機器で、物理的接続が検出された通信機器リストの中から通信相手を選択するという手順を踏む。これらの複数の通信機器が相互に無線通信を行う際に、相互に通信相手を特定でき、簡単に無線通信を開始できる機能が望まれている。
【０００６】
本発明は、上記課題を鑑みてなされてものであり、通信機器同士を互いに通信相手として認識・記憶させる処理を、ユーザにとって簡便化し、市場における通信機器同士の連携機能及びその利用度を大きく発展させることのできる通信機器を提供することを目的とする。
【課題を解決するための手段】
【０００７】
上記課題を解決するために、本発明に係る通信機器は、無線通信可能な通信機器の識別情報を記憶する記憶手段と、通信可能領域にある通信機器から識別情報を受信する受信手段と、無線通信を開始する際に、前記受信手段により受信された識別情報、及び前記記憶手段により記憶された識別情報に基づいて、そのとき通信可能な通信機器のリストを提示する提示手段と、前記提示手段により提示されたリストから通信機器の選択を受け付ける受付手段と、前記受付手段により通信機器の選択が受け付けられた場合、選択された通信機器との無線通信を開始する通信手段と、を備えたことを特徴とする。
【発明の効果】
【０００８】
本発明に係る通信機器によると、通信機器同士を互いに通信相手として認識・記憶させる処理を、ユーザにとって簡便化させることが可能となる。
【発明を実施するための最良の形態】
【０００９】
〔第１実施形態〕
本発明に係る通信機器の実施形態について、添付図面を参照しながら説明する。本発明に係る通信機器として、複数の筐体が相互にスライド自在に結合されてなる開閉自在の携帯電話機１を例にあげて説明する。
【００１０】
図１（Ａ）は、携帯電話機１の閉じた状態を示す斜視図、図１（Ｂ）は、携帯電話機１の開いた状態を示す斜視図である。携帯電話機１は、図１（Ａ）及び図１（Ｂ）に示すように、矩形の板状の上筐体１０と、この上筐体１０とほぼ同形状をした下筐体１１とが、閉じた状態で、相互に一面を覆うように積層されることにより形成されている。これらの上筐体１０及び下筐体１１は、所定方向（例えば図１に示すＸ方向）に相互に所定長さだけスライド可能なように結合されていて、上筐体１０を下筐体１１に対してスライドさせることにより、閉じた状態から開いた状態に、あるいは開いた状態から閉じた状態に変形する。
【００１１】
上筐体１０の外面（下筐体１１に対面しない側の面）には、文字や画像等からなる画面を表示するためのディスプレイ１２、音声を出力するためのスピーカ１３、周囲の風景を撮像するためのＣＣＤカメラ１４、押下されることにより指示を入力する複数の操作キー１５が設けられている。操作キー１５は、例えばカーソルを上下左右に移動させたり画面をスクロールさせたりするための方向キーや、メール機能やＷｅｂ機能を起動するためのショートカットキーなどである。
【００１２】
これらのディスプレイ１２、スピーカ１３、ＣＣＤカメラ１４、及び操作キー１５は、携帯電話機１が閉じた状態であっても開いた状態であっても外部に露出するように設けられている。よって、携帯電話機１が閉じた状態であっても開いた状態であっても、ユーザはディスプレイ１２の画面を視認したりＣＣＤカメラ１４を用いて撮像したり操作キー１５を介して指示を入力したりすることができる。
【００１３】
下筐体１１の内面（上筐体１０に対面する側の面）には、押下されることにより指示を入力する複数の操作キー１５ａ、音声を集音するためのマイクロフォン１６が設けられている。操作キー１５ａは、例えば文字列を入力するためのテンキーなどである。これらの操作キー１５ａ、マイクロフォン１６は、携帯電話機１が閉じた状態のときには、上筐体１０により覆われていて外部に露出していないが、上筐体１０を下筐体１１に対してスライドさせて開いた状態に変形させたときには、外部に露出される。よって、携帯電話機１が開いた状態のときには、ユーザは操作キー１５ａを介して指示を入力することができるが、携帯電話機１が閉じた状態のときには、ユーザは操作キー１５ａを介して指示を入力することができない。
【００１４】
下筐体１１の側面には、押下されることにより指示を入力する複数のサイドキー１７、赤外線を発信したり受信したりする赤外線送受信装置１８が設けられている。これらのサイドキー１７、赤外線送受信装置１８は、携帯電話機１が閉じた状態であっても開いた状態であっても外部に露出するように設けられている。よって、携帯電話機１が閉じた状態であっても開いた状態であっても、ユーザはサイドキー１７を介して指示を入力したり赤外線送受信装置１８を用いて赤外線信号を送受信したりすることができる。
【００１５】
図２は、携帯電話機１を示す機能ブロック図である。携帯電話機１は、図２に示すように、主制御部２０、電源回路部２１、操作入力制御部２２、表示制御部２３、撮像制御部２４、音声制御部２５、通信制御部２６、近距離無線通信制御部２７、赤外線通信制御部２８、及び記憶部２９がバスによって相互に通信可能に接続されて構成されている。
【００１６】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述する通信制御処理、その他の様々な演算処理や制御処理等を行う。電源回路部２１はバッテリ等の電源供給源を具備し、ユーザによる操作キー１５、１５ａを介した入力に基づいて電源のオン／オフ状態を切り替え、電源がオン状態の場合に電力供給源から各部に対して電力を供給して、携帯電話機１を動作可能にする。
【００１７】
操作入力制御部２２は操作キー１５、１５ａ、サイドキー１７に対する入力インタフェースを備え、操作キー１５、１５ａの押下、サイドキー１７の押下等の操作を検出すると、それらの操作を示す信号を生成して、この信号を主制御部２０に伝送する。信号を受信した主制御部２０は、この信号に基づいた処理を行う。
【００１８】
表示制御部２３はディスプレイ１２に対する表示インタフェースを備え、主制御部２０の制御に基づいて、文書や画像等からなる画面をディスプレイ１２に表示したり、ディスプレイ１２の電源のＯＮ／ＯＦＦ状態を切り替えたりする。
【００１９】
撮像制御部２４は、ＣＣＤカメラ１４により撮像された画像データを取得して、ＭＰＥＧ（Ｍｏｖｉｎｇ  Ｐｉｃｔｕｒｅ  Ｅｘｐｅｒｔｓ  Ｇｒｏｕｐ）−４等の所定形式に圧縮符号化して、主制御部２０に伝送する。主制御部２０は、必要に応じて、ＣＣＤカメラ１４により撮像された画像をディスプレイ１２に表示したり記憶部２９に記憶したりする。
【００２０】
音声制御部２５は、主制御部２０の制御に基づいて、マイクロフォン１６で集音された音声からアナログ音声信号を生成し、このアナログ音声信号をデジタル音声信号に変換する。また音声制御部２５は、デジタル音声信号を取得すると、主制御部２０の制御に基づいて、このデジタル音声信号をアナログ音声信号に変換し、スピーカ１３から音声として出力する。
【００２１】
通信制御部２６は、アンテナ２６ａを備えていて、主制御部２０の制御に基づいて、基地局（図示せず）からアンテナ２６ａを介して受信した受信信号をスペクトラム逆拡散処理してデータを復元する。このデータは、主制御部２０の指示により、音声制御部２５に伝送されてスピーカ１３から出力されたり、表示制御部２３に伝送されてディスプレイ１２に表示されたり、または記憶部２７に記録されたりする。また通信制御部２６は、主制御部２０の制御に基づいて、マイクロフォン１６で集音された音声データや操作キー１５、１５ａ等を介して入力されたデータや記憶部２９に記憶されたデータを取得すると、これらのデータに対してスペクトラム拡散処理を行い、基地局に対してアンテナ２６ａを介して送信する。
【００２２】
近距離無線通信制御部２７は、アンテナ２７ａを備えていて、このアンテナ２７ａを介して、他の通信機器に対して無線通信を行う。すなわち、近距離無線通信制御部２７は、主制御部２０の制御に基づいて、アンテナ２７ａを介して他の通信機器から受信した受信信号をスペクトラム逆拡散処理してデータを復元する。また、近距離無線通信制御部２７は、主制御部２０の制御に基づいて、例えば記憶部２９に記憶されたデータ等に対してスペクトラム拡散処理を行い、他の通信機器に対してアンテナ２７ａを介して送信する。近距離無線通信制御部２７により使用される通信規格は、例えば通信距離が１０ｍ程度のＢｌｕｅｔｏｏｔｈ（登録商標）等である。
【００２３】
赤外線通信制御部２８は、赤外線送受信装置１８に対するインタフェースを備えている。赤外線通信制御部２８は、赤外線送受信装置１８が他の赤外線発振装置から赤外線信号を受信した際に、この受信した赤外線信号に基づいて電気信号を生成して主制御部２０に伝送する。また、赤外線通信制御部２８は、主制御部２０の制御に基づいて、赤外線送受信装置１８に赤外線信号を生成させて、この赤外線信号を送信させる。
【００２４】
記憶部２９は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、データベース、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述する通信制御処理を行う際の処理プログラムは、例えばＲＯＭに記憶されているものとする。
【００２５】
図３は、携帯電話機１における他の通信機器との近距離無線通信処理を説明するための概略図である。このときの他の通信機器は、例えば図３に示すように、デジタルカメラ２、ＰＤＡ（Ｐｅｒｓｏｎａｌ  Ｄｉｇｉｔａｌ  Ａｓｓｉｓｔａｎｔｓ）３、デジタルテレビ４、プリンタ５、ＰＣ（Ｐｅｒｓｏｎａｌ  Ｃｏｍｐｕｔｅｒ）６、携帯電話機７等であり、これらは皆、近距離無線通信制御部２７により通信制御される通信規格（例えばＢｌｕｅｔｏｏｔｈ等）、または赤外線通信制御部２８により通信制御される通信規格（例えば赤外線通信；ＩｒＤＡ（Ｉｎｆｒａｒｅｄ  Ｄａｔａ  Ａｓｓｏｃｉａｔｉｏｎ）等）に基づいて無線通信を行う機能を備えている。
【００２６】
携帯電話機１の近距離無線通信制御部２７は、近距離無線通信を行う際に、自身の識別情報を、所定エリア内（例えば携帯電話機１から直線距離１０ｍ以内の範囲の通信可能エリアＡ）にある全ての通信機器に対して送信する。そして他の通信機器（デジタルカメラ２やＰＤＡ３等）は、各々の通信可能エリア内において他の通信機器の識別情報を受信すると、この情報の送信元の通信機器に対して自身の識別情報を返信する。このように携帯電話機１及び他の通信機器は、近距離無線通信を行う際に、通信可能エリアＡ内に存在する全ての通信機器に対して自身の識別情報を送信するとともに、通信可能エリアＡ内に存在する通信機器から返信された識別情報を受信して、これらの識別情報に基づいて通信相手を特定して、無線通信を開始する。
【００２７】
携帯電話機１が他の通信機器と無線通信を開始する際に、通信相手にＰＩＮコードを送信すると、通信相手がＰＩＮコードを用いて認証を行い、認証に成功した場合に、携帯電話機１とこの通信相手との接続を確立する。よって携帯電話機１は、近距離無線通信を行いたい通信機器の識別情報やＰＩＮコード等を予め記憶している必要がある。そこで携帯電話機１は、所定の通信機器に関する情報が含まれるバーコードをＣＣＤカメラ１４で撮像して、そのバーコード情報に基づいて、この通信機器の識別情報やＰＩＮコード等を含んだ情報を取得して、前もって記憶部２９に記憶しておく。これにより携帯電話機１は、識別情報が記憶されている通信機器に対して無線通信を行うときに、記憶された情報に基づいて簡単に無線通信を開始することができる。
【００２８】
一定距離内にある複数の通信機器が相互に近距離無線通信を接続してデータ送受信を行う際、ユーザ操作上の高いハードルの一つが、通信を行う通信機器同士（例えば携帯電話機１とデジタルカメラ２等）を、相互に通信相手として認識・記憶させる処理であり、Ｂｌｕｅｔｏｏｔｈ無線通信においてはペアリング設定として定義される通信プロセスである。従来、通信機器に設けられたペアリング設定操作は、相互の通信機器がＢｌｕｅｔｏｏｔｈ無線機をＯＮした条件で、一方の通信機器で、物理的接続が検出された通信機器リストの中から通信相手を選択するという手順を踏む。
【００２９】
携帯電話機１は、通信機器同士を相互に通信相手として認識・記憶させる処理を、ユーザにとって簡便化するために、所定の通信機器に関する情報が含まれるバーコードをＣＣＤカメラ１４で撮像し、そのバーコード情報から通信機器に関する情報を取得して予め登録しておくことにより、近距離無線通信を開始する際に、この登録情報に基づいて簡単に通信相手を特定して無線通信を開始する機能を備えている。
【００３０】
始めに、携帯電話機１が通信可能な通信機器を登録する登録処理を行う際の手順を、図４に示すフローチャート、図５に示す画面遷移図に基づいて説明する。なお、通信機器の収納ボックス等に付加されたバーコード情報に基づいて、通信機器を登録する場合について説明する。以下、例えば「ステップＳ１０１」を「Ｓ１０１」のように、「ステップ」の語句を省略して説明する。
【００３１】
ユーザは、通信可能な通信機器を携帯電話機１に登録する際に、携帯電話機１のバーコード読み取り機能を起動させて携帯電話機１にバーコード情報を読み取らせる必要がある。そこで主制御部２０は、始めにディスプレイ１２の表示画面３０にメインメニュー画面３１を表示させる。図５（Ａ）に示すように、メインメニュー画面３１は、例えばメール機能を起動するためのメールボタン３１ａ、Ｗｅｂ機能を起動するためのＷｅｂボタン３１ｂ、ユーザ所望のアプリケーションプログラムを起動するためのアプリボタン３１ｃ、カメラ機能を起動するためのカメラボタン３１ｄ、テレビ機能を起動するためのテレビボタン３１ｅ、各種設定機能を起動するための設定ボタン３１ｆ等を備えている。ユーザは、携帯電話機１においてカメラ機能（バーコード読み取り機能を含む）を起動させたい場合に、操作キー１５、１５ａを用いてカメラボタン３１ｄを選択する。
【００３２】
主制御部２０は、ユーザによりカメラボタン３１ｅが選択されると、ディスプレイ１２の表示画面３０にカメラメニュー画面３２を表示させる。図５（Ｂ）に示すように、カメラメニュー画面３２は、例えばモバイルカメラ機能を起動させるためのモバイルカメラボタン３２ａ、ビデオカメラ機能を起動させるためのビデオカメラボタン３２ｂ、動画像を撮像してメールに添付する機能を起動させるためのムービーメールボタン３２ｃ、デジタルカメラ機能を起動させるためのデジタルカメラボタン３２ｄ、カメラ機能に関する各種設定機能を起動させるための設定ボタン３２ｅ、バーコード読み取り機能を起動させるためのバーコードボタン３２ｆ等を備えている。ユーザは、携帯電話機１においてバーコード読み取り機能を起動させたい場合に、操作キー１５、１５ａを用いてバーコードボタン３２ｆを選択する。
【００３３】
主制御部２０は、バーコード読み取りが指示されたか否かを判断する（Ｓ１０１）。この際、主制御部２０は、例えばカメラメニュー画面３２においてバーコードボタン３２ｆが選択されたことに基づいて、バーコード読み取りが指示されたものと判断する。バーコード読み取りが指示されていない場合（Ｓ１０１のＮｏ）は、主制御部２０はそのまま待機する。
【００３４】
バーコード読み取りが指示された場合（Ｓ１０１のＹｅｓ）は、主制御部２０は、ＣＣＤカメラ１４を起動させて、バーコードの画像を撮像する。このとき、図５（Ｃ）に示すように、主制御部２０はディスプレイ１２の表示画面３０に撮像中の画像が表示される撮像画像表示欄３３を表示させる。そして主制御部２０は、この撮像された画像に基づいてバーコード情報を読み取って認識する（Ｓ１０３）。
【００３５】
主制御部２０は、この通信機器に対して自動的に通信を開始するか否かの設定を促すための自動通信設定画面３４をディスプレイ１２の表示画面３０に表示して、自動通信の設定を促す（Ｓ１０５）。図５（Ｄ）に示すように、自動通信設定画面３４は、自動通信をＯＮに設定するための「はい」ボタン３４ａ、自動通信をＯＦＦに設定するための「いいえ」ボタン３４ｂを備えている。ユーザは、操作キー１５、１５ａを用いて、「はい」ボタン３４ａまたは「いいえ」ボタン３４ｂを選択することにより、自動通信を設定する。自動通信がＯＮに設定されると、この通信機器に対して無線通信を行う際、ユーザに通信の開始の指示を要求させることなく、通信が開始される。
【００３６】
主制御部２０は、設定が指示されたか否かを判断する（Ｓ１０７）。この際、主制御部２は、自動通信設定画面３４において「はい」ボタン３４ａまたは「いいえ」ボタン３４ｂが選択されたことに基づいて、設定が指示されたものと判断する。設定が指示されていない場合（Ｓ１０７のＮｏ）は、主制御部２０は設定が指示されるまで待機する。
【００３７】
設定が指示された場合（Ｓ１０７のＹｅｓ）は、主制御部２０は、ステップＳ１０３にて読み取られたバーコード情報、ステップＳ１０７にて指示された自動通信の設定情報に基づいて、携帯電話機１に通信機器を登録する（Ｓ１０９）。このとき、主制御部２０は、携帯電話機１と通信可能な通信機器が複数登録された登録情報４０に、新たな通信機器に関する情報を追加することにより、この新たな通信機器を登録する。
【００３８】
登録情報４０は、例えば図６に示すように、各々の通信機器毎に、デバイスアドレス（例えばＭＡＣアドレス）を示すアドレス情報４１、この通信機器の種類毎に策定されたプロトコルを示すプロファイル情報４２、この通信機器との認証に使用されるＰＩＮコードを示すＰＩＮコード情報４３、この通信機器に対する自動通信の設定状況を示す自動通信設定情報４４とがそれぞれ対応付けられた情報であり、記憶部２９に記憶される。
【００３９】
例えば図６に示す登録情報４０によると、通信機器Ａに対して、アドレス情報４１に「ａａ：ａａ：ａａ：ａａ：ａａ：ａａ」、プロファイル情報４２に「画像転送」、ＰＩＮコード情報４３に「００００」が、自動通信設定情報４４に「ＯＦＦ」がそれぞれ対応付けられていて、通信機器Ｂに対して、アドレス情報４１に「ｂｂ：ｂｂ：ｂｂ：ｂｂ：ｂｂ：ｂｂ」、プロファイル情報４２に「データ転送」、ＰＩＮコード情報４３に「１１１１」が、自動通信設定情報４４に「ＯＦＦ」がそれぞれ対応付けられている。アドレス情報４１、プロファイル情報４２、及びＰＩＮコード情報４３は、ステップＳ１０３にてバーコード情報から読み取られた情報である。また、自動通信設定情報４４は、ステップＳ１０７にて「はい」ボタン３４ａが選択された場合には「ＯＮ」が、「いいえ」ボタン３４ｂが選択された場合には「ＯＦＦ」が設定される。
【００４０】
そして主制御部２０は、新たな通信機器の登録を完了させると、図５（Ｅ）に示すように、ディスプレイ１２の表示画面３０に待ち受け画面３５を表示する。このようにして携帯電話機１は、バーコードをＣＣＤカメラ１４を用いて読み取ることにより、そのバーコード情報から通信機器の識別情報を抽出して、この通信機器を通信可能な通信相手として登録する。そして携帯電話機１は、この登録された通信機器の識別情報を用いて、次回にこの通信機器に対して無線通信を行う際に、この識別情報を利用して簡単に無線通信を開始させることができる。
【００４１】
次に、携帯電話機１は、通信可能エリアＡ内にある通信機器に対して近距離無線通信を開始する際に、記憶部２９に記憶された登録情報４０（ステップＳ１０１乃至Ｓ１０９にて登録された情報）に基づいて通信相手を識別して、無線通信を開始する通信制御処理を行う。携帯電話機１がこの通信制御処理を行う際の手順を、図７に示すフローチャート、図８に示す画面遷移図に基づいて説明する。
【００４２】
ユーザは、携帯電話機１を用いて近距離無線通信を行いたい場合に、例えば図８（Ａ）に示すように、ディスプレイ１２の表示画面３０に待ち受け画面３５が表示されている際に、所定の操作キー１５、１５ａを押下することにより、通信手段の選択を指示する。そこで主制御部２０は、通信手段の選択が指示されたか否かを判断する（Ｓ２０１）。この際、主制御部２０は、例えば所定の操作キー１５、１５ａが押下されたことに基づいて、通信手段の選択が指示されたものと判断する。通信手段の選択が指示されていない場合（Ｓ２０１のＮｏ）は、主制御部２０はそのまま待機する。
【００４３】
通信手段の選択が指示された場合（Ｓ２０１のＹｅｓ）は、主制御部２０は、複数の通信手段が選択可能に羅列された通信手段表示欄３６を表示することにより、ユーザに対して複数の通信手段を提示する（Ｓ２０３）。図８（Ｂ）に示すように、通信手段表示欄３６には、例えば「Ｂｌｕｅｔｏｏｔｈ（登録商標）」、「赤外線通信」等の通信手段が選択可能に表示されているとともに、次回からこの通信手段の選択を省略するための通信手段選択省略チェック欄３６ａが併せて表示画面３０に表示される。ユーザは操作キー１５、１５ａを用いて、通信手段表示欄３６から所望の通信手段を選択する。またユーザは、次回も今回選択された通信手段を使用し、以後この選択操作を省略したい場合に、通信手段選択省略チェック欄３６ａをチェックする。
【００４４】
主制御部２０は、通信手段が選択されたか否かを判断する（Ｓ２０５）。この際、主制御部２０は、例えば通信手段表示欄３６から通信手段が選択されたことに基づいて、通信手段が選択されたものと判断する。通信手段が選択されていない場合（Ｓ２０５のＮｏ）は、主制御部２０は通信手段が選択されるまで待機する。
【００４５】
通信手段が選択された場合（Ｓ２０５のＹｅｓ）は、主制御部２０は、複数の通信手段のプロファイル群が選択可能に羅列されたプロファイル群表示欄３７を表示することにより、ユーザに対して通信手段のプロファイル群を提示する（Ｓ２０７）。プロファイルは通信機器の種類ごとに策定されたプロトコルであり、例えば機器同士でデータ転送を行うためのプロファイル、ハンズフリー通話を実現するためのプロファイル等がある。図８（Ｃ）に示すように、プロファイル群表示欄３７には、例えば「ＡＶ操作」、「データ転送」等の通信手段のプロファイル群が選択可能に表示されているとともに、次回からこのプロファイル群の選択を省略するためのプロファイル群選択省略チェック欄３７ａが併せて表示画面３０に表示される。ユーザは操作キー１５、１５ａを用いて、プロファイル群表示欄３７から所望のプロファイル群を選択する。またユーザは、次回も今回選択されたプロファイル群を使用し、以後この選択操作を省略したい場合に、プロファイル群選択省略チェック欄３７ａをチェックする。
【００４６】
主制御部２０は、プロファイル群が選択されたか否かを判断する（Ｓ２０９）。この際、主制御部２０は、例えばプロファイル群表示欄３７からプロファイル群が選択されたことに基づいて、プロファイル群が選択されたものと判断する。プロファイル群が選択されていない場合（Ｓ２０９のＮｏ）は、主制御部２０はプロファイル群が選択されるまで待機する。
【００４７】
プロファイル群が選択された場合（Ｓ２０９のＹｅｓ）は、主制御部２０は、通信可能エリアＡ内にある全ての通信機器から識別情報を取得して、これらの取得した識別情報のうち、記憶部２９から登録情報４０に登録されている通信機器を取得する（Ｓ２１１）。そして主制御部２０は、ステップＳ２０５にて選択された通信手段、及びステップＳ２０９にて選択されたプロファイル郡の双方を使用する通信機器が複数登録されているか否かを判断する（Ｓ２１３）。
【００４８】
該当する通信機器が複数登録されていた場合（Ｓ２１３のＹｅｓ）は、主制御部２０は、これらの複数の通信機器が選択可能に羅列された通信機器表示欄３８を表示することにより、ユーザに対して通信機器リストを提示する（Ｓ２１５）。図８（Ｄ）に示すように、通信機器表示欄３８には、例えば「ＰＣ」、「テレビ」、「携帯端末」等の通信機器が選択可能に表示されている。ユーザは操作キー１５、１５ａを用いて、通信機器表示欄３８から所望の通信機器を選択する。
【００４９】
主制御部２０は、通信機器が選択されたか否かを判断する（Ｓ２１７）。この際、主制御部２０は、通信機器表示欄３８から通信機器が選択されたことに基づいて、通信機器が選択されたものと判断する。通信機器が選択されていない場合（Ｓ２１７のＮｏ）は、主制御部２０は通信機器が選択されるまで待機する。
【００５０】
通信機器が選択された場合（Ｓ２１７のＹｅｓ）、または、ステップＳ２０５にて選択された通信手段、及びステップＳ２０９にて選択されたプロファイル郡を使用する通信機器が一つしか登録されていなかった場合（Ｓ２１３のＮｏ）は、主制御部２０は、その通信機器を通信相手として、無線通信を開始する（Ｓ２１９）。このとき、主制御部２０は、例えば図８（Ｅ）に示すように、ディスプレイ１２の表示画面３０に通信中である旨を表示すると良い。
【００５１】
なお、過去にステップＳ２０５にて通信手段選択省略チェック欄３６ａが選択された場合や、携帯電話機１が通信手段を一つしか備えていない場合、出来る限り操作手順を削減したい場合などには、ステップＳ２０３、Ｓ２０５の通信手段を選択する処理は省略されても良い。
【００５２】
また、過去にステップＳ２０９にてプロファイル群選択省略チェック欄３７ａが選択された場合や、通信手段がプロファイル群を有していない場合、出来る限り操作手順を削減したい場合などには、ステップＳ２０７、Ｓ２０９は省略しても良い。
【００５３】
このようにして携帯電話機１は、通信可能エリアＡ内にある他の通信機器に対して無線通信を開始する際に、通信可能エリアＡ内にある通信機器から識別情報を取得して、これらの取得した識別情報のうち、予め登録された識別情報を利用して通信相手を選択することにより、簡単に無線通信を開始させることができる。
【００５４】
また、携帯電話機１は、通信機器に対して無線通信を行う際、この通信機器のプロファイルを用いて通信機器を絞り込むことで、より簡単なＵＩ（ユーザインタフェース）をユーザに対して提供することができ、接続のためのオペレーション時間も短縮される。
【００５５】
さらに、特定の通信機器から問合せを受信した際に、予め登録されたこの通信機器に関する情報と自身の識別情報とをこの通信機器に返信することによって、携帯電話機１と通信機器とが相互に通信相手として特定することができる。同様に、特定の通信機器に適合する通信機器が近距離無線通信制御部２７または赤外線通信制御部２８により物理的に検出された際に、携帯電話機１がこの通信機器に対して自身の識別情報を送信することにより、この通信機器が携帯電話機１を通信相手として特定することができる。
【００５６】
また、通信機器に関する情報を含んだバーコードは、紙に印刷されて挿し紙やシールとして通信機器とともに同梱されても良く、また、通信機器の画面に表示されるようにしても良い。また、通信機器毎に自動通信に関する情報を予め設定しておくことで、自動通信がＯＮにされた通信機器に対して通信を開始する際には、ユーザの接続のための操作を省略して、接続を簡略化することができる。
【００５７】
本発明に係る通信機器（携帯電話機１）によると、通信機器同士を互いに通信相手として認識・記憶させる処理を、ユーザにとって簡便化し、市場における通信機器同士の連携機能およびその利用度を大きく発展させることが可能となる。
【００５８】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ、携帯音楽プレイヤー、携帯ゲーム機、携帯テレビ、ノート型ＰＣ等、無線通信機能を備えている通信機器であれば、任意の通信機器であっても良い。
【図面の簡単な説明】
【００５９】
【図１】（Ａ）は、本発明に係る通信機器（携帯電話機）の閉じた状態を示す斜視図、（Ｂ）は、本発明に係る通信機器（携帯電話機）の開いた状態を示す斜視図。
【図２】本発明に係る通信機器（携帯電話機）の機能ブロック図。
【図３】本発明に係る通信機器（携帯電話機）において近距離無線通信制御処理を説明するための概略図。
【図４】本発明に係る通信機器（携帯電話機）において通信可能な通信機器を登録する処理を行う際の手順を示すフローチャート。
【図５】（Ａ）乃至（Ｅ）は、本発明に係る通信機器（携帯電話機）において通信可能な通信機器を登録する処理を行う際の画面遷移図。
【図６】通信機器の登録情報を示すデータ構成図。
【図７】本発明に係る通信機器（携帯電話機）において、近距離通信制御処理を行う際の手順を示すフローチャート。
【図８】（Ａ）乃至（Ｅ）は、本発明に係る通信機器（携帯電話機）において近距離通信制御処理を行う際の画面遷移図。
【符号の説明】
【００６０】
１、７…携帯電話機，２…デジタルカメラ，３…ＰＤＡ，４…テレビ，５…プリンタ，６…ノート型ＰＣ，１０…上筐体，１１…下筐体，１２…ディスプレイ，１３…スピーカ，１４…ＣＣＤカメラ、１５、１５ａ…操作キー，１６…マイクロフォン，１７…サイドキー，１８…赤外線送受信装置，２０…主制御部，２１…電源回路部，２２…操作入力制御部，２３…表示制御部，２４…撮像制御部，２５…音声制御部，２６…通信制御部，２６ａ…アンテナ，２７…近距離無線通信制御部，２７ａ…近距離通信用アンテナ，２８…赤外線通信制御部，２９…記憶部，３０…表示画面，３１…メインメニュー表示欄，３２…カメラメニュー表示欄，３３…撮像画像表示欄，３４…自動通信設定画面，３５…待ち受け画面，３６…通信手段表示欄，３６ａ…通信手段選択省略チェック欄，３７…プロファイル群表示欄，３７ａ…プロファイル選択省略チェック欄，３８…通信機器表示欄，４０…登録情報，４１…アドレス情報，４２…プロファイル情報，４３…ＰＩＮコード情報，４４…自動通信設定情報。
【図１】
2010136238.tif 000003
【図２】
2010136238.tif 000004
【図３】
2010136238.tif 000005
【図４】
2010136238.tif 000006
【図５】
2010136238.tif 000007
【図６】
2010136238.tif 000008
【図７】
2010136238.tif 000009
【図８】
2010136238.tif 000010